(57)【特許請求の範囲】
【請求項１】
ａ）分配室と、
ｂ）混合室と、
ｃ）後面、前面および後面から前面を横断する中心の入口を有する前板と、この場合、この前板は、分配室と混合室との間でハウジングの一部を構成し、この場合前板の後面は、分配室に隣接しており、前板の前面は、混合室に隣接しており、
ｄ）第１の物質を導入するための分配室に隣接したハウジング中の入口と、
ｅ）第１の物質を分配室に隣接したハウジング中の入口から前板の中心の入口へ輸送する手段と、
ｆ）第２の物質を分配室中に導入するためのハウジング中の第２の入口と、
ｇ）回転対称の形式で前板中に配置されており、かつ第２の物質が分配室から混合室へ輸送される、前板中の複数の平行な入口開口と、
ｈ）前板の中心の入口から外向きに半径方向に広がり、かつ第１の物質が輸送手段から混合室へ輸送される複数のチャンネルと、この場合該チャンネルは、前板の前面内、前面上または前面の上方の空間内に配置されており、平行な入口開口の最も外側の点と回転軸線から等距離にある点で開口し、
ｉ）前板中の複数の平行な入口開口に対応する複数のピンと、この場合このピンは、軸線方向にずれていてよく、
ｊ）混合された物質が除去される混合室中の出口とを有する実質的に回転対称のハウジングを備えた回転子−固定子型の混合機型反応器。
【請求項２】
請求項１記載の混合機型反応器中で第１の物質と第２の物質とを混合することにより、少なくとも２つの異なる物質を混合する方法において、第１の物質および第２の物質をそれぞれ個別的に流動可能な物質、懸濁液または溶液から選択することを特徴とする、請求項１記載の混合機型反応器中で第１の物質と第２の物質とを混合することにより、少なくとも２つの異なる物質を混合する方法。
【請求項３】
請求項１記載の混合機型反応器中で第１の物質と第２の物質とを混合することにより、少なくとも２つの異なる物質を混合する方法において、混合機型反応器中への流入時の第１の物質の粘度と第２の物質の粘度との比が０．５を下廻るかまたは２を上廻ることを特徴とする、請求項１記載の混合機型反応器中で第１の物質と第２の物質とを混合することにより、少なくとも２つの異なる物質を混合する方法。
【請求項４】
第１の物質が溶剤中に溶解されたホスゲンを有し、第２の物質が第１アミンの溶液を有する、請求項２記載の方法。
【請求項５】
第１アミンのホスゲン化によりイソシアネートを製造する方法において、請求項１記載の混合機型反応器中で、第１アミンとホスゲンとを混合し、反応させる改善方法であることを特徴とする、第１アミンのホスゲン化によりイソシアネートを製造する方法。
【請求項６】
複数のチャンネルは、前記チャンネルがチャンネルの長さの５〜９５％が閉鎖されているように、それぞれのチャンネル上の被覆によって混合室の方向に部分的に閉鎖されている、請求項１記載の混合機型反応器。
【発明の詳細な説明】
【技術分野】
【０００１】
本発明は、２００７年１２月１９日付けで出願されたドイツ連邦共和国特許出願第１０２００７０６１６８８．２号の３５Ｕ．Ｓ．Ｃ．§１１９（ａ）−（ｄ）の下での優先権の権利を主張するものである。
【０００２】
本発明は、第１アミンのホスゲン化によるイソシアネートの製造法ならびにエダクトのホスゲンおよび第１アミンを含む２つ以上の異なる物質の混合に適した回転子−固定子型（rotor-stator type）の混合ユニットに関する。この回転子−固定子型の混合ユニットは、混合機型反応器であり、著しい粘度差を有することができる少なくとも２つの流動可能な物質の混合、該物質の反応の開始および実施に適している。この混合機型反応器は、モノアミンまたはポリアミンと有機溶剤中に溶解されたホスゲンとの反応によるモノイソシアネートまたはポリイソシアネートの製造に特に好適である。
【背景技術】
【０００３】
回転子−固定子型混合機（rotor-stator mixers）は、一般に混合部材を備えた少なくとも１個の回転子と流れを破壊する部材を装備した回転子を包囲する固定子とを有する。このような回転子−固定子型混合機（rotor-stator mixers）は、一般に公知である。本明細書中で、回転子は、高速回転で回転し、一方、固定子は、固定された位置で留まる。回転子が運動する場合、回転子と固定子との間の環状間隙中の液体は、著しい乱流で混合される。本明細書中で、非混和性液体の場合、２つの液体の一方は、高いエネルギー入力によって他方の中で微細に分散され、形成された分散液は、回転速度が増加する（即ち、よりっそう高速になる）とよりいっそう微細に分散され、それ故に、エネルギー入力は、よりいっそう高くなる。
【０００４】
回転子の高速回転により、大量のエネルギーが液体中に導入され、このエネルギーは、混合中に熱に変換される。結果として、液体混合物中の温度の増加が混合操作の経過中に起こる。
【０００５】
例えば、モノアミンまたはポリアミンとホスゲンとの反応によるモノイソシアネートまたはポリイソシアネートの製造を急速に開始させる反応を、実質的に回転対称のハウジングを有する回転子−固定子型（rotor-stator type）の混合機反応器（および場合によっては付加的なその後の反応装置）中で実施することは、公知であり、この場合このハウジングは、少なくとも２つの物質のための別々の入口および出口を備えた実質的に回転対称の混合室を有し、第１の物質のための入口は、混合室の軸線方向に備えられており、少なくとも第２の物質のための入口は、混合室の軸線方向に対して回転対称に配置された複数の開口の形に構成されている。例えば、欧州特許第２９１８１９号明細書Ｂ１（米国特許第４８５１５７１号明細書に対応すると思われる）および欧州特許第２９１８２０号明細書Ｂ１（米国特許第４９１５５０９号明細書に対応する）、参照。
【０００６】
公知技術水準によれば、混合室の軸線に対して回転対称に配置された開口の形で構成されているそれぞれの入口が割り当てられている混合ユニットは、軸線方向にずれていてよいピンを有する。ピンを軸線方向にずらすことによって、開口には、ピンが貫入することができ、こうして存在する任意の付着物は除去される。供給管路内の圧力が増加する場合にまたは周期的に、それぞれピンを入口開口７内にずらすことは、好ましい。例えば、欧州特許第８３０８９４号明細書Ｂ１（米国特許第５９３１３７９号明細書に対応する）参照。
【０００７】
同様に、例えばモノアミンまたはポリアミンとホスゲンとの反応を、実質的に回転対称のハウジングを有する混合ユニット中で実施することは、公知であり、この場合このハウジングは、少なくとも２つの物質のための別々の入口および１個の出口を備えた実質的に回転対称の混合室を有し、第１の物質のための入口は、混合室の軸線方向に備えられており、少なくとも第２の物質のための入口は、混合室の軸線方向に対して半径方向または横方向にあり、かつ混合室は、移動部分を有していない。例えば、欧州特許第３２２６４７号明細書Ｂ１（米国特許第５１１７０４８号明細書に対応する）およびＷＯ  ２００２／００２２１７Ａ１参照。
【０００８】
更に、例えばモノアミンまたはポリアミンとホスゲンとの反応を、実質的に回転対称のハウジングを有する混合ユニット中で実施することは、公知であり、この場合このハウジングは、少なくとも２つの物質のための別々の入口および１個の出口を備えた実質的に回転対称の混合室を有し、少なくとも双方の入口は、混合室の軸線方向に対して半径方向に配置されている。例えば、ドイツ連邦共和国特許出願公開第１００３４６２１号明細書Ａ１、米国特許第４８８６３６８号明細書およびドイツ連邦共和国特許第４２２０２３９号明細書Ｃ２参照。
【０００９】
このような装置中で調製されるモノイソシアネートまたはポリイソシアネートの品質は、少なくとも２つの流動可能な物質の品質および混合速度に決定的に依存する。本明細書中で、混合機型反応器による均一な質量流の維持は、殊に決定的な役を演じる。それというのも、それによって、未反応の出発物質の物質流中への既に互いに反応した物質の逆混合は、回避されることができるからである。
【００１０】
混合装置の品質の一般的な判断基準は、特殊な装置で達成されうる混合時間にある。急速な反応の開始、例えばモノアミンまたはポリアミンと有機溶剤中に溶解されたホスゲンとの反応によるモノイソシアネートまたはポリイソシアネートの製造に使用される混合室の混合時間は、通常、０．０００１秒〜５秒、有利に０．０００５秒〜４秒、特に有利に０．００１秒〜３秒である（例えば、ドイツ連邦共和国特許出願公開第１０２００５０１４８４６号明細書Ａ１参照）。本明細書中で使用される混合時間は、混合操作の開始から得られた混合物の流体要素の９７．５％が特殊な混合物画分を達成するまでの平均時間であると理解すべきである。この混合物画分は、完全な混合物の状態と思われる場合に得られた混合物の理論的な最終値から２．５％を超えてずれてはならない。混合物の破壊の概念は、例えば、J. Wamatz, U. Maas, R.W. Dobble: Combustion, Springer Verlag, Berlin Heidelberg New York, 2006, 第4版, p. 136-137中に説明されている。
【００１１】
十分な混合の品質および逆混合を阻止する完璧さは、具体的に幾つかの判断基準から見極めることができる。
【００１２】
混合が不適当である場合には、少なくとも第２の物質のための入口開口７内で時間が経つにつれて閉塞するまでのケーキングが起こり、したがって全ての開口を貫流する材料の均一な導入は、妨害される。これは、混合機型反応器による流れの性質を損ない、したがって逆混合がますます発生する。
【００１３】
ナノメートルないしマイクロメートルの範囲内であるべきである、反応中に形成されるアミンヒドロクロリド粒子およびカルバモイルクロリド粒子の寸法および寸法分布は、徹底した混合品質のためのもう１つの判断基準である。比較的大量の前記固体の形成は、回避されるべきである。それというのも、大きな凝集したアミンヒドロクロリド粒子の形成は、刊行物中に記載されているようにホスゲン化が極めて遅いこととに結果として起こりうるからである。（例えば、ＷＯ  ２００４／０５６７５６Ａ１参照）。
【００１４】
また、得られたモノイソシアネートまたはポリイソシアネートの色または粘度は、徹底した混合品質のもう１つの判断基準である。それというのも、全ての副反応が完全に抑制された場合には、無色の低粘度の生成物を得ることができるからである。
【００１５】
得られた生成物中の遊離イソシアネート基（ＮＣＯ価）の含量は、徹底した混合品質のもう１つの判断基準である。それというのも、十分な混合が不適当である場合には、含量は低いままであり、逆混合が存在する場合には、液滴が生じるからである。遊離イソシアネート基の含量は、簡単な方法で所謂ＮＣＯ価として測定されることができる。ＮＣＯ価は、相応する尿素を生じるためのイソシアネートと過剰量のジブチルアミンとの反応および塩酸塩標準溶液での未使用のアミンの逆滴定によって測定される。高いＮＣＯ価は、工業的に適したモノイソシアネートおよびポリイソシアネートのために好ましい。
【００１６】
回転子−固定子型の公知の混合ユニットにおいて、混合は、計量された第１の物質が第１の回転子ディスクの遠心分離形のために軸線方向に外向きに流れ、それによって導入される第２の物質で充填され、第２の物質流が互いに遠心分離力によって混合されるような方法によって実施される。
【００１７】
回転子−固定子型の混合ユニットを用いてのモノアミンまたはポリアミンと有機溶剤中に溶解されたホスゲンとの反応によるモノイソシアネートまたはポリイソシアネートの製造において、ホスゲン溶液は、有利に混合室の軸線に対して軸線方向に計量され、アミン溶液は、回転対称に配置された入口開口７によって計量される。これは、アミン溶液の入口が閉塞に対してよりいっそう敏感であり、それ故にアミン溶液が有利に入口開口７によって計量され、それぞれの開口には、付着物を除去することができるピンが割り当てられているという事実に由来する。
【００１８】
回転子−固定子型の公知の混合機型反応器の欠点は、よりいっそう低い粘度を有する物質が混合室の軸線に沿って軸線方向に計量される場合に、粘度比が０．５未満であるかまたは２を上廻る粘度を有する２つの溶液がもはや適度に混合されることができないことである。それというのも、第１の回転子ディスクによって移相される場合の混合室の遠心力は、第２の物質が回転対称に配置された開口から混合室の出口の方向に現れる場合に、よりいっそう高い粘度の第２の物質に取って代わるのにもはや十分ではないからである。結果として、逆混合が混合室内で起こり、これは、殊にハウジングの断面積を変える前板に対して、および固定子間のハウジング壁の内面に対して問題を生じる。この逆混合は、固体によるコーキングをまねき、かつ混合機型反応器から得られたモノイソシアネートまたはポリイソシアネート中の遊離イソシアネート基の低い含量をまねく。
【００１９】
更に、回転子−固定子型の公知の混合機型反応器の欠点は、溶解された物質の濃度を所望のように選択することができないことである。不運なことに、公知の混合機型反応器において、よりいっそう高い粘度の溶液の濃度は、この溶液の粘度が少なくとも第２の溶液の粘度の２倍を上廻ってはならないという事実に制限されており、これは、殊に有機溶剤中のモノアミンまたはポリアミンとホスゲンとの反応によるモノイソシアネートまたはポリイソシアネートの製造においては欠点である。それというのも、ホスゲン溶液の粘度は異なるホスゲン濃度で僅かにのみ増加するが、モノアミン溶液またはポリアミン溶液の粘度は、溶液中に存在するモノアミンまたはポリアミンの濃度で著しく変化または変動するからである。従って、０℃で０〜８０質量％の濃度範囲のモノクロロベンゼン（ＭＣＢ）中のホスゲンの溶液の粘度は、０．５〜１．０ｍＰａ．ｓであり（０℃で粘度０．７６５ｍＰａ．ｓおよび密度１．２７ｇ／lおよび５０質量％または５６質量％）、一方、２５℃で１５〜６５質量％の濃度範囲内のモノクロロベンゼン中のメチレンジフェニルジアミン（ＭＤＡ）の溶液の粘度は、１〜２００ｍＰａ．ｓである（第１表参照）。他面、溶液間の密度の差は、ごく僅かであり、混合作業を困難にするという効果を有しない。
【００２０】
【表１】
0005334558.tif 000002
【先行技術文献】
【特許文献】
【００２１】
【特許文献１】欧州特許第２９１８１９号明細書Ｂ１（米国特許第４８５１５７１号明細書に対応すると思われる）
【特許文献２】欧州特許第２９１８２０号明細書Ｂ１（米国特許第４９１５５０９号明細書に対応する）
【特許文献３】欧州特許第８３０８９４号明細書Ｂ１（米国特許第５９３１３７９号明細書に対応する）
【特許文献４】欧州特許第３２２６４７号明細書Ｂ１（米国特許第５１１７０４８号明細書に対応する）
【特許文献５】ＷＯ  ２００２／００２２１７Ａ１
【特許文献６】ドイツ連邦共和国特許出願公開第１００３４６２１号明細書Ａ１
【特許文献７】米国特許第４８８６３６８号明細書
【特許文献８】ドイツ連邦共和国特許第４２２０２３９号明細書Ｃ２
【特許文献９】ドイツ連邦共和国特許出願公開第１０２００５０１４８４６号明細書Ａ１
【特許文献１０】ＷＯ  ２００４／０５６７５６Ａ１
【非特許文献】
【００２２】
【非特許文献１】J. Wamatz, U. Maas, R.W. Dobble: Combustion, Springer Verlag, Berlin Heidelberg New York, 2006, 第4版, p. 136-137
【発明の概要】
【発明が解決しようとする課題】
【００２３】
従って、本発明の対象は、上記欠点を回避し、また、品質および速度の点で幅広く異なる粘度の２つの流動可能な物質のために十分な混合を保証するような混合機型反応器を提供することである。殊に、この混合機型反応器は、遊離イソシアネート基の高い含量を有するモノイソシアネートまたはポリイソシアネートを製造するための方法を可能にし、それ故に、高度に濃縮されたアミンおよびホスゲン溶液の使用を可能にする。
【課題を解決するための手段】
【００２４】
本発明は、回転子−固定子型の混合機型反応器に関する。この混合機型反応器は、分配室と混合室と前面および後面を有する前板とを含む実質的に回転対称のハウジングおよび前面から後面へ横切る中心の入口を有し、この前板は、分配室と混合室との間でハウジングの断面積を変動させる。前板の後面は、分配室に隣接しており、前板の前面は、混合室に隣接している。更に、少なくとも２つの異なる物質のための混合室中への別々の入口および混合室からの出口が存在し、この出口によって、混合物または生成物は、混合室から流出する。第１の物質を導入するための分配室中へのハウジング中の入口も存在し、この場合この第１の物質は、混合室の回転軸線に沿ってこの第１の物質を中心の入口へ輸送するための手段に流入する。また、ハウジングは、第２の物質を分配室中へ導入するための分配室中への第２の入口を有する。
【００２５】
２つのチャンバー間のハウジングの断面積を変動させる前板は、複数の平行な入口開口７（この場合、この開口は、前板の後面から前面を横断している）を含み、この場合この入口開口７は、中心の入口の周囲に回転対称の形式で配置されている。第２の物質が分配室から混合室へ輸送されることは、前記の入口開口７を通して行なわれる。更に、前板は、前板の中心の入口から外向きに半径方向に広がる複数のチャンネルを有し、このチャンネルを通して、第１の物質は、前板の中心の入口から混合室中へ流れる。前記のチャンネルは、好ましくは第２の物質のための複数の平行な入口開口７と交互に対称的に配置されている。また、前板中の平行な入口開口７の数に対応する複数のピンが存在し、これらのピンは、好ましくは個々の基盤上で軸方向にずれて置かれていてよい。
【００２６】
前板の中心の入口は、好ましくは、第１の物質がこの中心の入口に侵入する際に回転軸線に沿って流れるように回転軸線内に位置している。
【００２７】
本発明による混合機型反応器は、少なくとも２つの流動可能な物質の混合および該物質の反応の実施または開始に適している。この混合機型反応器は、当該混合機型反応器中への侵入の際に第１の物質の粘度と少なくとも第２の物質の粘度との比が０．５を下廻るかまたは２を上廻る、少なくとも２つの流動可能な物質、懸濁液または溶液の混合に使用され、この場合粘度の測定には、ＤＩＮ  ５３０１５によるＨａａｋｅ社からのHoppler落球式粘度計が使用される。この混合機型反応器は、混合およびホスゲン反応の実施または開始に特に好適であり、この場合、溶剤中に溶解されたホスゲンは、第１の物質として使用され、第２アミンの溶液は、第２の物質として使用される。
【００２８】
前板の前面には、複数のチャンネルが存在する。好ましくは、前記チャンネルは、前板中に存在する中心の入口から外向きに半径方向に導かれ、この入口を通して第１の物質は、この中心の入口を通して前板中に走る、混合室の回転軸線に沿って混合室中に侵入する。前記チャンネルは、好ましくは、回転軸線から最も離れて存在する少なくとも第２の物質のための入口開口７の最も外側の点と回転軸線から等距離にある点で開口する。前記チャンネルは、前板中の凹所または結合されたせき板として構成されていてよく、多種多様の形状を有することができる。換言すれば、前記チャンネルは、例えば三角形、矩形、半円形または楕円形の断面の形状を有することができる。少なくとも前記チャンネルは、少なくとも開始時に、即ち第１の物質流のための中心の入口に物理的に隣接した点および少なくとも端部で、即ち第１の物質流のための中心の入口から物理的に最も離れた点または部位で開いている。上記したように、１つの好ましい実施態様において、それぞれの前記チャンネルの端部も最も遠くに外向きに存在する第２の流れのための入口開口７の最も外側の点と回転軸線から等距離にある点または部位で開いている。前記チャンネルの介在する領域は、開いていてもよいし、閉鎖されていてもよい。閉鎖された場合、前記チャンネルは、混合室の方向に延在する被覆（例えば、板）によって遮蔽され、前板の平面と平行な流れ方向でのみ開く。従って、第１の物質は、中心の入口を通してチャンネル中に流入し、チャンネルから流出し、かつ混合室中に流入する。
【００２９】
１つの好ましい実施態様において、前記チャンネルは、好ましくは、介在する領域内で、即ちチャンネルの開始部かまたはチャンネルの開始部を僅かに越えてチャンネルの端部に隣接した（かまたは該端部の僅かに前方の）点に到るまで閉鎖されているかまたは遮蔽されている。それというのも、さらに、混合室内で第２の物質の混合は、よりいっそう急速に、よりいっそう良好に行なわれるからである。前記チャンネルは、好ましくは、長さの５％〜９５％に亘って、よりいっそう好ましくは長さの２０％〜９０％に亘って、最も好ましくは長さの４０％〜８５％に亘って閉鎖されているかまたは遮蔽されている。本発明によれば、前記の上部範囲と前記の下部範囲の全部を含めて任意の組合せが使用されてよい。別の好ましい実施態様において、被覆は、既に、第１の物質が必然的にチャンネルを貫流しなければならず、次に第１の流れのためのチャンネルの開口を通じてチャンネルを離れ、混合室中に流入し、かつ混合室中で第２の物質と混合されるように、第１の物質のための中心の入口のレベルでチャンネルを覆う。
【００３０】
本発明によれば、任意の数のチャンネルを使用することができるが、混合室の方向で前板の前面内または前面上に２〜４８個のチャンネルが存在することは、好ましい。更に、混合機型反応器が前板中に２〜４８個の開口（即ち、入口開口７）を有することは、好ましく、この場合この開口を通じて第２の物質流は、分配室から流出し、混合室に流入する。第２の物質流のための前記開口（即ち、入口開口７）は、好ましくは回転軸線の周囲の１つ、２つまたは３つの同心円上に配置されている。しかし、また、本発明の範囲内で、入口開口７は、回転軸線の周囲のなお多くの同心円上に配置されていてよい。
【００３１】
本発明による混合機型反応器は、モノイソシアネートまたはポリイソシアネートを製造するためのホスゲン化反応器として特に好適である。このホスゲン化反応において、有機溶剤中に溶解されたホスゲンは、第１の物質として使用され、溶剤中に場合によっては溶解された第１モノアミンまたはポリアミンは、少なくとも第２の物質として使用される。
【００３２】
また、本発明は、第１アミンのホスゲン化によって（モノーまたはポリ−）イソシアネートを製造するための方法に関し、この場合第１アミンとホスゲンは、本明細書中に記載されたような混合機型反応器中で混合され、反応される。この混合機型反応器を使用する方法において、溶剤中に溶解されたホスゲンを第１の物質として使用し、第１アミンの溶液を第２の物質として使用することは、好ましい。混合機型反応器中への流入の際に第１の物質と第２の物質との粘度比は、有利に０．５未満である。本明細書中で、前記物質の粘度は、有利に、ＤＩＮ  ５３０１５によるＨａａｋｅ社からのHoppler落球式粘度計を使用して測定される。
【００３３】
適当な出発物質および反応条件は、例えば、それぞれ米国特許第４８５１５７１号明細書、米国特許第５１１７０４８号明細書および米国特許出願２０００６００２５５５６号に対応すると思われる欧州特許第２９１８１９号明細書Ｂ１、欧州特許第３２２６４７号明細書Ｂ１および欧州特許出願公開第１６１６８５７号明細書Ａ１中に開示されている。
【００３４】
本発明による混合機型反応器は、任意の望ましい第１モノアミンおよびポリアミンのホスゲン化、殊にポリウレタン化学の分野で通常公知でありかつ使用される有機ポリイソシアネートの製造に適している。これは、有機ポリイソシアネート、例えばジフェニルメタン系列（ＭＤＩ、モノマーＭＤＩおよび／またはポリマーＭＤＩ）のジイソシアネートおよびポリイソシアネート、トルエン−ジイソシアネート（ＴＤＩ）、キシレン−ジイソシアネート（ＸＤＩ）、ヘキサメチレン−ジイソシアネート（ＨＤＩ）、イソホロン−ジイソシアネート（ＩＰＤＩ）またはナフタレン−ジイソシアネートを含む。本発明による方法に好ましい出発物質は、適当な溶剤中のホスゲンの３〜９５質量％濃度、好ましくは２０〜７５質量％濃度の溶液、および適当な溶剤中のモノアミンまたはポリアミンの５〜９５質量％濃度、好ましくは２０〜７０質量％濃度の溶液である。
【００３５】
ホスゲンおよびアミン溶液の製造に適した溶剤は、反応条件下で不活性である任意の望ましい溶剤である。溶剤、例えばクロロベンゼン、オルト−ジクロロベンゼン、ジオキサン、トルエン、キシレン、塩化メチレン、ペルクロロエチレン、トリクロロフルオロメタンまたはブチルアセテートが適している。
【００３６】
好ましくは、クロロベンゼンまたはオルト−クロロベンゼンが溶剤として使用される。溶剤は、純粋な形で使用されてもよいし、実施例により挙げられた溶剤の任意の望ましい混合物として使用されてもよい。同じ溶剤または溶剤混合物は、これが必ずしも必要でなくとも、アミン成分およびホスゲンのために有利に使用される。
【００３７】
ホスゲン溶液およびアミン溶液は、混合機型反応器中で、１．１：１〜３０：１、よりいっそう好ましくは１．２５：１〜３：１のホスゲン：第１アミノ基のモル比が混合室の混合空間内に存在するような量で有利に使用される。
【００３８】
使用されるホスゲン溶液およびアミン溶液は、混合機型反応器中への導入前に温度制御されることができる。ホスゲン溶液は、通常、−５０℃〜＋８０℃、よりいっそう好ましくは−２０℃〜＋７０℃の好ましい温度を有する。アミン溶液は、＋２５℃〜＋１６０℃、よりいっそう好ましくは＋４０℃〜＋１４０℃の好ましい温度で温度制御されることができる。アミン溶液の温度は、この温度が最も有利に＋５０℃〜＋１２０℃であるように制御される。エダクト溶液の温度制御および計量は、有利に特殊な溶液の蒸気圧力を上廻る圧力レベルで実施される。ホスゲン溶液とアミン溶液は、それぞれ０℃〜＋７０℃および＋８０℃〜＋１２０℃の温度で特に有利に使用される。本明細書中で、１〜７０バール、有利に３〜４５バールの絶対圧力は、使用されることができる。
【００３９】
ホスゲン溶液とアミン溶液とを混合機型反応器中で混合するために、この混合機型反応器は、加熱されてもよく、絶縁されてもよく、冷却されてもよく、この場合、好ましくは、単に絶縁される。この絶縁は、刊行物に公知の種々の方法によって行なうことができ、混合ユニットを含むことができる。
【００４０】
更に、本発明のよりいっそう詳細な記載は、図１および図２により提供されるであろう。
【図面の簡単な説明】
【００４１】
【図１】チャンネルを備えた前板を有する回転子−固定子型の本発明による混合機型反応器の断面を有する側面図である。
【図２】本発明による混合機型反応器の構成成分である前板の前面の前面図である。
【発明を実施するための形態】
【００４２】
参考のために、本発明の１つの実施態様が図１に混合機型反応器の断面図で略示されている。この混合機型反応器は、混合室２および分配室３を有するハウジング１を備えている。少なくとも第１の物質流４は、入口、有利に湾曲管５を介して軸方向に導入され、この第１の物質流は、横方向に分配室壁３の外壁中に流入し、前板２３中の中心の入口（図１には、示されていない）を通じて混合室中に輸送される。第１の物質のための前板中のこの中心の入口は、この第１の物質が混合室２中に流入するように回転軸線２２（虚構）内に配置されている。この中心の入口（図１には、示されていない）から、第１の物質は、チャンネル（図１には、示されていない）を経て前板２３中に流入して第１の物質（図１には、示されていない）のためのチャンネル開口２７にまで流れる。第２の物質流６は、入口を介して分配室３中に導入され、次に混合機型反応器の回転軸線２２（虚構）に対して前面２３内に同心的に配置されている複数の平行な入口開口７を介して混合室２中に流入する。混合室２は、有利に回転軸線２２（虚構）上に配置された軸１０を介して駆動される回転子部材８と、ハウジングに結合されている固定子部材９を含む（余談になるが、混合室２それ自体が実際に回転するのではなく、混合室２内の回転子部材８が軸１０によって駆動されることに注目される）。混合物を環状チャンネル１２を介して出口１３中に輸送するランニングホイール１１も有利に存在する。それぞれの入口開口７には、軸方向にずれていてよいピン１５が割り当てられている。このピン１５は、好ましくはキャリヤーリング１７上に固定されている。キャリヤーリング１７は、スペーサー片１８を介してハンドホイール２１により軸１０を介して軸線方向にずれていてよい板１９に結合されている。分配室３を通じてのこの軸１０の通路は、ベローズ２０により気密に封入されている。
【００４３】
本発明によれば、ピン１５の軸線方向のずれは、相応する入口開口７を通してそれぞれのピン１５を押圧し、こうして入口開口７の周囲または入口開口７中で任意の固体または残存する他の残留物を清浄化しおよび／または立ち退かせる。
【００４４】
図２は、図１に示された本発明による混合機型反応器の構成成分である前板２３の前面を示す。前板２３は、第１の物質流のための中心の入口２６と、この第１の物質流を、複数の平行な入口開口７が少なくとも第２の流れのための回転軸線２２からの距離と等距離だけ前板２３の前面の中心の入口２６から半径方向に通過させる複数のチャンネル２４とを有する。チャンネル２４は、例えば前板２３中の凹所として構成されていてもよいし、前板２３上の取付け物として構成されていてもよい。また、前記チャンネル２４は、完全に開いているが、しかし、好ましくは、全長の５〜９５％の範囲で被覆２５によって混合室から完全に遮蔽されていてもよいし、部分的に遮蔽されていてもよい。更に、第１の物質流は、前板２３の中心の入口２６を通過し、場合によっては被覆２５で覆われているチャンネル２４を貫流し、さらにチャンネル開口２７を通じてチャンネル２４を離れ（または流出し）、混合室２（図２には、示されていない）中に流入する。好ましい実施態様（図２には、示されていない）において、被覆２５は、既に第１の物質のための中心の入口２６のレベルで、または該中心の入口２６の点でチャンネル２４を覆い、したがって第１の物質流は、必然的に該チャンネルを貫流しなければならず、次にチャンネル開口２７を通じてチャンネルを離れ、混合室２（図２には、示されていない）中に流入する。
【００４５】
本発明を、説明を目的として前記において詳説したが、このような詳細は単にこの目的のためだけものであり、請求項により限定され得るものを除き、当業者によって本発明の趣旨および範囲を逸脱することなく変法が作られることができると理解すべきである。
【符号の説明】
【００４６】
１  ハウジング、  ２  混合室、  ３  分配室、  ４  第１の物質流、  ５  湾曲管、  ６  第２の物質流、  ７  入口開口、  ８  回転子部材、  ９  固定子部材、  １０  軸、  １２  環状チャンネル、  １５  ピン、  １７  キャリヤーリング、  １８  スペーサー片、  １９  板、  ２０  ベローズ、  ２１  ハンドホイール、  ２２  回転軸線、  ２３  前板、  ２４  複数のチャンネル、  ２５被覆、  ２６  中心の入口、  ２７  チャンネル開口
【図１】
0005334558.tif 000003
【図２】
0005334558.tif 000004